(57)【要約】  【課題】  帽体の強度及び送風効率の両方を改善することができる送風機内蔵ヘルメットを提供する。  【解決手段】  ヘルメット１は、後方上部に開口部２２を有する帽体２と、衝撃吸収用のライナー３と、開口部２２に配置された正逆転自在の送風機４とを備える。ライナー３は、その内面に、下方に開口した凹所６を有する。凹所６は、帽体２の頂部下方を通り前後に長く後端が開口部２２に臨む第１凹所６１と、帽体２の頂部周辺に位置し第１凹所６１に連通して左右に開口する第２凹所６２とを含む。【選択図】  図４
2018150661.tif 000002
【特許請求の範囲】
【請求項１】
後方上部に開口部を有する略半球形状の帽体と、該帽体内に取り付けられた衝撃吸収用のライナーと、前記開口部に配置された正逆転自在の送風用の送風機とを備え、
前記ライナーは、その内面に凹所を有し、
該凹所は、前記帽体の頂部下方を通り前後に長く後端が前記開口部に臨む第１凹所と、前記帽体の頂部周辺下方に位置し前記第１凹所に連通して左右に開口する第２凹所とを含むことを特徴とする送風機内蔵ヘルメット。
【請求項２】
帽体の開口部及び送風機を覆うカバーをさらに備え、
該カバーは、前記帽体の開口部との間に流路となる隙間を設けて配置されると共に、左右に開口した横開口と、該横開口よりも広く後方に開口する後開口とを有し、
前記横開口が前記帽体の開口部より左右外側に位置し、
前記後開口が前記帽体の開口部よりも後方に位置することを特徴とする請求項１記載の送風機内蔵ヘルメット。
【発明の詳細な説明】
【技術分野】
【０００１】
本発明は、送風機を備えたヘルメットに関する。
【背景技術】
【０００２】
従来、特許文献１に示すように、ヘルメットの頭頂部に、空気吸引口及び送風ファンを設けた空冷式ヘルメットが知られている。また、特許文献２に示すように、ヘルメットの後頭部側に張出し部を形成し、その張出し部の内側に、給気路及びファン付きモータユニットを備えた送風機付きヘルメットが知られている。
【先行技術文献】
【特許文献】
【０００３】
【特許文献１】特許第４４７８１３４号公報
【特許文献２】実用新案登録第３１５２４４１号公報
【発明の概要】
【発明が解決しようとする課題】
【０００４】
厚生労働省の「保護帽の規格」には、保護帽（ヘルメット）の頂部の強度が定められている。送風機を頭頂部（帽体の頭頂部）に設けたヘルメットは、帽体の頂部に送風機取付用や通気用として開口部が形成されるため、頂部の強度が低下し易く、帽体の補強などによる重量増加や製造コストの増加などを生じる。さらに、送風機が帽体の頂部に位置するため、送風機からの風は着用者の頭頂部に当接されるハンモックの頂点板に当たり、着用者の頭頂部に風が当たり難くなり、送風効率が良いとは言い難い。
【０００５】
後頭部側に送風機を設け、上向きに風を供給するものでは、適合する強度を得やすくなる反面、着用者の前頭部に風が供給され難く、送風効率が良いとは言い難い。
【０００６】
したがって、上記従来技術の欠点である帽体の強度及び送風効率の両方を改善することができる送風機内蔵ヘルメットを提供することを目的とする。
【課題を解決するための手段】
【０００７】
本発明の送風機内蔵ヘルメットは、上記課題に鑑み、後方上部に開口部を有する略半球形状の帽体と、該帽体内に取り付けられた衝撃吸収用のライナーと、開口部に配置された正逆転自在の送風用の送風機とを備え、ライナーは、その内面に凹所を有し、該凹所は、帽体の頂部下方を通り前後に長く後端が開口部に臨む第１凹所と、帽体の頂部周辺下方に位置し第１凹所に連通して左右に開口する第２凹所とを含むことを特徴とするものである。
【０００８】
また、上述した構成に加え、帽体の開口部及び送風機を覆うカバーをさらに備え、該カバーは、帽体の開口部との間に流路となる隙間を設けて配置されると共に、左右に開口した横開口と、該横開口よりも広く後方に開口する後開口とを有し、横開口が帽体の開口部より左右外側に位置し、後開口が帽体の開口部よりも後方に位置することが好ましい。
【発明の効果】
【０００９】
本発明は、帽体の頂部よりも後方にずらして送風機及び開口部を設置したことで、送風機などの設置による頂部の強度低下を軽減することができる。本発明は、帽体の後方上部に送風機等をずらしたことで、帽体の頂部内側をライナーで保護することができる。これらにより、本発明は、帽体の強度を担保することができ、厚生労働省が定める「保護帽の規格」に適合させ易くできる。
【００１０】
さらに、本発明は、帽体の後方上部に送風機を設けたことで、着用者の頭頂部に対して後方から給排気できる。本発明は、ライナーに前後方向の第１凹所及び左右方向の第２凹所を設けたことで、帽体内の空気の前後及び左右の流動効率をいずれも向上させることができる。これらにより、本発明は、給排気にハンモックの頂点板などを影響し難くでき、送風効率を改善することができる。
【００１１】
前記ヘルメットは、開口部をカバーで覆うことで、開口部による強度低下を軽減できる。さらに、該ヘルメットは、カバーで開口部を覆い、カバーが開口部よりも後方に開口を有することで、帽体内への雨などの水滴の流入を抑制することができる。
【００１２】
前記ヘルメットは、カバーに横開口及び後開口を設けたことで、カバーによる送風効率の低下を軽減することができる。該ヘルメットは、横開口よりも後開口を広くしたことで、開口部を介した空気を前後に流動し易くできる。これにより、該ヘルメットは、帽体内の前端側と開口部との間の給排気を行い易くできる。
【図面の簡単な説明】
【００１３】
【図１】本発明の実施形態に係る送風機内蔵ヘルメットの一例を示す斜視図である。
【図２】図１のヘルメットの分解斜視図である。
【図３】図１のヘルメットの背面図である。
【図４】図１のヘルメットの底面図である。
【図５】図１のヘルメットのＡ−Ａ’線断面図である。
【発明を実施するための形態】
【００１４】
本発明の実施形態について図面に基づいて詳細に説明する。なお、本実施形態の説明において、ヘルメット１の鍔９がある方向を前方とし、電源部４１がある方向を後方とする。また、使用者が被る側の面を内面とし、ヘルメット１の外側を外面として説明する。
【００１５】
ヘルメット１は、図１に示すように、半球状の帽体２と、帽体２の前端から突出する鍔９とで装着者の頭部を保護する。
【００１６】
帽体２は、上方に突出した凸部２１を有し、凸部２１は帽体２の頂部よりも後方から頂部を通り帽体２の前端（鍔９の基端）に至る前後に細長い形状となっており、凸部２１の前部は左右に広がる扇状となっている。ヘルメット１は、上方からの落下物等の衝撃を凸部２１で受ける形状となっている。
【００１７】
帽体２は、図２に示すように、上部後方に、カバー５用の固定部２５を設けたカバー固定領域２３（以下、固定領域２３とする）を有する。固定領域２３は、前後に長い略長方形状の領域となっており、その左右幅は凸部２１の左右幅と略同じとなっている。固定部２５は固定領域２３の四隅に夫々設けてあり、内面側からねじ等を用いてカバー５を固定することができる。
【００１８】
固定領域２３の固定部２５よりも内側の左右中央前よりの位置には、送風機４を固定する領域となり、中央に孔を有する開口部２２が形成される。このため、開口部２２は凸部２１の後端から延長線上の後方に位置する。開口部２２は帽体２の外面から凹むように、四角形状に形成されており、その左右幅は、凸部２１の左右幅よりも小さい。さらに、開口部２２の左右周縁は、上方に突出した壁部２４を備える。また、開口部２２の下端には、送風機４を当接する固定部２６が設けてある。言い換えると、帽体２は、その後上部に設置用凹所を有し、この設置用凹所の底部に、通気口と送風機４用の固定部２６とが設けてある。
【００１９】
送風機４は開口部２２内に配置される。具体的には、カバー５を固定するにおいて、開口部２２の突出した固定部２６を送風機４に挿通し、カバー５で挟持するように固定する。送風機４は、帽体２の傾斜（開口部２２の開口面）に沿って、上端が下端より前方に位置する傾斜姿勢（前傾姿勢）で配置される。例えば、送風機４は着用者の頭頂部に向くよう前方下向きに傾けて配置される。
【００２０】
送風機４は、正逆転自在で送風可能となっており、その回転方向を切り替えることで、開口部２２を介して帽体２内に外気を供給する給気と、開口部２２を介して帽体２外に帽体２内の空気（内気）を排出する排気とが切り替わる。送風機４は、四角形状の外殻を有し、この外殻の四辺は夫々、開口部２２の四辺と略同寸となっている。送風機４は、図３に示すように、帽体２の後方下部に設けられた電源部４１から給電される。送風機４は、上方からカバー５で覆われる。
【００２１】
カバー５は、送風機４を覆う上面板５１と、上面板５１の左右両端から下方に突出する側壁５２とを備える。上面板５１は開口部２２（送風機４）を含む固定領域２３を覆う。カバー５は、上面板５１の上面の上端（前端）が凸部２１の上面の後端と連続し、かつ側壁５２の下端が固定領域２３の外周端に当接するように帽体２外面に固定される。カバー５は、例えば帽体２内側から挿通されたねじ等により固定部２５に固定される。
【００２２】
また、上面板５１は、送風機４（開口部２２）との上下の間隔が後方ほど広くなるよう送風機４よりも前傾している。側壁５２は下方ほど左右外側に傾いて設けてある。さらに、側壁５２は、その後辺が後方下向きに傾斜した形状となっている。
【００２３】
カバー５は、上面板５１の下面から送風機４の四隅夫々に向けて突出するリブ５３（図５参照）をさらに備える。送風機４は、各リブ５３により固定部２６へ押し付けられた状態で、帽体２とカバー５とで挟持・固定される。
【００２４】
また、カバー５は、左右両側夫々に複数空いた横開口７と、横開口７よりも広くかつ後方に空いた後開口８とをさらに有する。横開口７及び後開口８は、上面板５１と送風機４との間を流路とし、送風機４（開口部２２）を介して帽体２内（帽体２で囲まれた内側の空間）と連通する。
【００２５】
横開口７は側壁５２に設けられる。このため、横開口７は、その上端が下端より左右内方に位置するよう傾斜する形状となっている。横開口７の上端は壁部２４よりも左右外側に位置する。横開口７は、例えば左右夫々に前後に並んで三つ設けてあり、後方の開口ほど広い形状となっている。
【００２６】
後開口８の上端は開口部２２よりも後方に位置する。後開口８は、上面板５１の後端及び側壁５２の傾斜した後端に囲まれる。このため、後開口８は、その上端が下端より前方に傾斜する形状となっている。
【００２７】
カバー５が開口部２２よりも広い固定領域２３を覆うため、ヘルメット１は、カバー５上面に飛来した雨などの水滴が開口部２２を介して帽体２内に流入することを抑制できる。さらに、水滴が横開口７から固定領域２３に流入しても、ヘルメット１は壁部２４により開口部２２への流入を抑制できる。
【００２８】
カバー５は、横開口７及び後開口８を有し、かつ後開口８を広くしたことで、送風機４の給排気を妨げ難くできる。カバー５は、上面板５１を開口部２２よりも前傾して設けたことで、後開口８を介した開口部２２への給気や排気を行い易くできる。
【００２９】
ヘルメット１は、図４に示すように、送風機４の回転を操作する操作部４２と、帽体２内に取り付けられるライナー３と、帽体２に脱着自在で着用者の頭部に当接されるハンモック（図示せず）とをさらに備える。
【００３０】
操作部４２は、帽体２の後方下部に設けられる。操作部４２は、例えば送風機４の回転方向（正転・逆転）の切換及び送風機４への給電・停止の切換を行うよう着用者に操作される。操作部４２は、例えば、上下にスライド自在のスイッチとなっており、下方位置で送風機４が正転し、上方位置で送風機４が逆転し、中央位置で送風機４が停止する。なお、ヘルメット１は、操作部４２の操作に応じて送風機４を制御する制御部を更に備えるが、特に図示しない。
【００３１】
ライナー３は、衝撃吸収用となっている。ライナー３は、その上面が帽体２内面に沿った形状となっており、帽体２内面に当接して帽体２内に配置される。ライナー３は例えば発泡合成樹脂材で形成される。ライナー３は例えば帽体２に脱着自在となっている。
【００３２】
ライナー３は、下方に開口した凹所６をその内面（下面）に備える。凹所６は、送風機４の回転時に、空気を流れ易くする流路として機能する。より詳しくは、凹所６は、例えば給気時に空気を着用者の頭部広範囲に拡散し易くしたり、排気時に着用者の頭部広範囲の空気を開口部２２に流入し易くしたりする。
【００３３】
凹所６は、凸部２１下方に位置して前後に長い第１凹所６１と、帽体２の頂部周辺に位置して第１凹所６１に連通して左右に開口する第２凹所６２とを含む。
【００３４】
第１凹所６１は、後方開口（後端）が開口部２２に臨み、前端が帽体２の前方上部またはそれより下方に位置し、前方ほど左右幅が広がる形状となっている。第１凹所６１は、帽体２内において、空気を前後方向に流れ易くする流路として機能する。
【００３５】
このため、ヘルメット１は、例えば給気時に第１凹所６１を介して送風機４からの空気を帽体２前端側に流すことで、着用者の頭部前方側に風を送ることができる。さらに、排気時には第１凹所６１を介して帽体２前方の空気を開口部２２に流すことで、着用者の頭部前方側の空気を排出することができる。
【００３６】
第２凹所６２は、帽体２内において、空気を頂部周辺と帽体２側端側との間で左右方向に流れ易くする流路として機能する。つまり、第２凹所６２は、給気時に帽体２側端側に空気を流れ易くし、排気時に帽体２側方の空気を開口部２２に流入し易くする。
【００３７】
このため、ヘルメット１は、例えば給気時に第２凹所６２を介して送風機４からの空気を帽体２側方に流すことで、着用者の側頭部側に風を送ることができる。排気時には第２凹所６２を介して帽体２側方の空気を開口部２２に流すことで、着用者の側頭部側の空気を排出することができる。
【００３８】
ライナー３の第１凹所６１、第２凹所６２と相対的に凸となる第１凸所７１、第２凸所７２が形成される。第１凸所７１は、帽体２の頂部（第２凹所６２）よりも後方に位置し、送風機４を配置する開口部２２の両側に位置する。第２凸所７２は頂部（第２凹所６２）よりも前方に位置し、第１凹所６１の両側に位置する。第１凸所７１の突出高さ（厚さ）は第２凸所７２の突出高さ（厚さ）よりも高く、所定の厚みを有するよう形成され、送風機４を通じて流入・排出をし易くしている。
【００３９】
ライナー３は、第２凹所６２の左右外方各々に開口３１を有し、この左右の開口３１は、第２凹所６２の前後幅よりも前後に長い。帽体２は、この左右の開口３１により、この左右位置において内面が露出する。第１凹所６１よりも第２凹所６２が短く形成されているが、第２凹所６２の先に開口３１が形成されていることにより、第２凹所６２を通る空気の流路を確保することができる。また、排出にあたっても、帽体２内にこもった空気を排出し易くすることができる。
【００４０】
このように、ヘルメット１は、帽体２の頂部よりも後方にずらして送風機４及び開口部２２を設置したことで、送風機４などの設置による頂部の強度低下を軽減できる。ヘルメット１は、帽体２の後方上部に送風機４などをずらしたことで、帽体２の頂部内側をライナー３で保護することができる。これらにより、ヘルメット１は、帽体２の強度を厚生労働省が定める「保護帽の規格」に適合させ易くできる。
【００４１】
ヘルメット１は、開口部２２をカバー５で覆うことで、開口部２２による強度低下を軽減できる。ヘルメット１は、上面板５１を凸部２１と面一に設けることで、カバー５を凸部２１の一部として機能させることができる。これにより、ヘルメット１は、帽体２の強度確保を行い易くできる。
【００４２】
また、ヘルメット１は、帽体２の後方上部に送風機４を設けたことで、着用者の頭頂部に対して後方から給排気できる。ヘルメット１は、ライナー３に第１凹所６１及び第２凹所６２を設けたことで、帽体２内の空気の前後及び左右の流動効率をいずれも向上させることができる。これらにより、ヘルメット１は、給排気にハンモックの頂点板などを影響し難くでき、送風効率を改善することができる。
【００４３】
ヘルメット１は、カバー５に横開口７及び後開口８を設けたことで、カバー５による送風効率の低下を軽減することができる。ヘルメット１は、横開口７よりも後開口８を広くしたことで、開口部２２を介した空気を前後に流動し易くできる。これにより、ヘルメット１は、帽体２内の前端側と開口部２２との間の給排気を行い易くできる。また、ヘルメット１は、第２凹所６２の前後幅を左右外方ほど狭めたことで、送風機４から離れた側端側における空気の流速低下を軽減できる。
【符号の説明】
【００４４】
１…ヘルメット、２…帽体、３…ライナー、４…送風機、５…カバー、６…凹所、７…横開口、８…後開口、２２…開口部、５１…上面板、５２…側壁、６１…第１凹所、６２…第２凹所
【図１】
2018150661.tif 000003
【図２】
2018150661.tif 000004
【図３】
2018150661.tif 000005
【図４】
2018150661.tif 000006
【図５】
2018150661.tif 000007